(57)【要約】      （修正有）【課題】予備の電源機能を備えた電源供給装置を提供する。【解決手段】コンピュータ装置に適した電源供給装置が、力率改善ユニットと、主電源ＤＣ／ＤＣコンバータと、スタンバイ電源生成ユニットと、電池モジュールとを含む。力率改善ユニットは、商用電源を受け取って調整し、直流電圧を出力するために用いる。主電源ＤＣ／ＤＣコンバータは、直流電圧を受け取って変換し、主電源をコンピュータ装置の主電源線に出力するために用いる。スタンバイ電源生成ユニットは、商用電源が有効な時に、直流電圧を受け取って変換し、充電電圧を出力するとともに安定スタンバイ電源をコンピュータ装置のスタンバイ電源線に出力し、商用電源が突然失効した時に、主電源線から予備の主電源を受け取って電圧調整を行い、安定スタンバイ電源をスタンバイ電源線に出力するために用いる。電池モジュールは、商用電源が有効な時に、充電電圧を受け取って充電を行い、商用電源が突然失効した時に、予備の主電源を主電源線に提供するために用いる。【選択図】図２
0003153603.tif 000002
【実用新案登録請求の範囲】
【請求項１】
コンピュータ装置に適した電源供給装置であって、
商用電源を受け取って調整し、直流電圧を出力するための力率改善ユニットと、
前記力率改善ユニットに接続して、前記直流電圧を受け取って変換し、主電源を前記コンピュータ装置の主電源線に出力するための主電源ＤＣ／ＤＣコンバータと、
前記力率改善ユニットおよび前記主電源線に接続して、前記商用電源が有効な時に、前記直流電圧を受け取って変換し、充電電圧を出力するとともに、安定スタンバイ電源を前記コンピュータ装置のスタンバイ電源線に出力し、前記商用電源が突然失効した時に、前記主電源線から予備の主電源を受け取って電圧調整を行い、前記安定スタンバイ電源を前記スタンバイ電源線に出力するためのスタンバイ電源生成ユニットと、
前記スタンバイ電源生成ユニットに接続して、前記商用電源が有効な時に、前記充電電圧を受け取って充電を行い、前記商用電源が突然失効した時に、前記予備の主電源を前記主電源線に提供するための電池モジュールと
を備えることを特徴とする電源供給装置。
【請求項２】
前記スタンバイ電源生成ユニットが、
１次側と２次側を有し、前記１次側を通って前記直流電圧を受け取り、前記２次側で浮動スタンバイ電源および前記充電電圧を生成するＤＣ変圧器と、
陽極端が前記浮動スタンバイ電源を受け取るための第１ダイオードと、
陽極端が前記主電源線に接続する第２ダイオードと、
前記第１ダイオードの陰極端および前記第２ダイオードの陰極端に接続して、前記主電源または前記予備の主電源を受け取って電圧調整を行い、前記安定スタンバイ電源を生成するための電圧調整器と
を備えることを特徴とする請求項１に記載の電源供給装置。
【請求項３】
前記浮動スタンバイ電源の電圧が前記安定スタンバイ電源の電圧よりも高く、且つ前記安定スタンバイ電源の電圧が＋５Ｖであることを特徴とする請求項２に記載の電源供給装置。
【請求項４】
前記電池モジュールに接続して、前記商用電源を受け取って有効であるか否かを検出するとともに、それに基づいて充電信号または放電信号を発信する検出ユニットをさらに備え、
前記検出ユニットで前記商用電源が有効であることを検出した時は前記充電信号を出力し、そうでない時は前記放電信号を出力することを特徴とする請求項１に記載の電源供給装置。
【請求項５】
前記電池モジュールが、
前記検出ユニットに接続して、前記充電信号を受け取った時にイネーブル信号を出力し、前記放電信号を受け取った時にディセーブル信号を出力するための管理ユニットと、
前記管理ユニットおよび前記スタンバイ電源生成ユニットに接続して、前記充電電圧を受け取るとともに、前記イネーブル信号を受け取った時に前記充電電圧を伝送し、前記ディセーブル信号を受け取った時に前記充電電圧を遮断するためのスイッチユニットと、
前記スイッチユニットに接続して、前記スイッチユニットが前記イネーブル信号を受け取った時に、前記充電電圧を受け取って充電を行い、前記スイッチユニットが前記ディセーブル信号を受け取った時に、解放電圧を提供する充電式電池と、
前記充電式電池に接続し、且つ前記スイッチユニットが前記ディセーブル信号を受け取った時に作用して、前記解放電圧を受け取るとともに、前記解放電圧を前記予備の主電源の電圧まで降圧した後、前記主電源線に提供するための降圧ユニットと
を備えることを特徴とする請求項４に記載の電源供給装置。
【請求項６】
前記主電源線に接続して、前記主電源線から前記主電源または前記予備の主電源を受け取って変換し、複数の電源を前記コンピュータ装置の複数の副電源線にそれぞれ出力するための副電源ＤＣ／ＤＣコンバータをさらに備えることを特徴とする請求項１に記載の電源供給装置。
【請求項７】
前記主電源の電圧および前記予備の主電源の電圧が＋１２Ｖであり、前記複数の副電源が少なくとも電圧が＋５Ｖの副電源、電圧が＋３．３Ｖの副電源および電圧が−１２Ｖの副電源を含むことを特徴とする請求項６に記載の電源供給装置。
【請求項８】
前記充電電圧が前記主電源の電圧および前記予備の主電源の電圧よりも高いことを特徴とする請求項７に記載の電源供給装置。
【考案の詳細な説明】
【技術分野】
【０００１】
この考案は、電源供給装置に関し、特に、コンピュータ装置に適した電源供給装置に関する。
【背景技術】
【０００２】
科学技術の進歩に伴い、デスクトップコンピュータ装置は既に誰でも必要とする電子装置の１つとなっているが、そのデスクトップコンピュータ装置をスムーズに起動させるために、電源供給器は非常に重要な役割を受け持っている。一般的に、デスクトップコンピュータ装置の電源供給器は、予備の電源機能を備えていない。より明確に説明すると、図１は、伝統的な電源供給器１００を示すブロック図である。図１を参照すると、電源供給器１００は、力率改善（power factor correction, PFC）ユニット１０１と、主電源ＤＣ／ＤＣコンバータ１０３と、副電源ＤＣ／ＤＣコンバータ１０５と、ＤＣ変圧器１０７と、電圧調整器１０９と、電気容量ＣＢｕｌｋとを含む。
【０００３】
伝統的な電源供給装置は、商用電源ＡＣが有効な時、力率改善ユニット１０１が商用電源ＡＣを受け取って調整し、直流電圧ＤＣを主電源ＤＣ／ＤＣコンバータ１０３とＤＣ変圧器１０７に出力するとともに、電気容量ＣＢｕｌｋに対して充電を行う。続いて、主電源ＤＣ／ＤＣコンバータ１０３が直流電圧ＤＣに対して変換を行い、主電源ＭＰをデスクトップコンピュータ装置の主電源線（図示せず）および副電源ＤＣ／ＤＣコンバータ１０５に出力する。
【０００４】
そのため、副電源ＤＣ／ＤＣコンバータ１０５が主電源ＭＰに対して変換を行い、複数の副電源ＳＰ１〜ＳＰ３をデスクトップコンピュータ装置の複数の副電源線（図示せず）にそれぞれ出力する。また、ＤＣ変圧器１０７も同様に直流電圧ＤＣに対して変換を行い、浮動スタンバイ電源ＦＳＴＢを電圧調整器１０９に出力する。このため、電圧調整器１０９が浮動スタンバイ電源ＦＳＴＢに対して電圧調整を行い、デスクトップコンピュータ装置のスタンバイ電源線（図示せず）に安定スタンバイ電源ＳＴＢを出力する。
【考案の概要】
【考案が解決しようとする課題】
【０００５】
主電源ＤＣ／ＤＣコンバータ１０３、副電源ＤＣ／ＤＣコンバータ１０５および電圧調整器１０９がそれぞれ既にデスクトップコンピュータの動作時に必要な全てのパワーパックを生成していることによって、デスクトップコンピュータ装置が正常に起動される。しかし、商用電源が突然失効（例えば、停電）した時は、電源供給器によって出力される電源が出力を突然中止し、この時電気容量ＣＢｕｌｋが一時的に保存している電荷は、電源供給器１００の出力を十数マイクロ秒（microsecond）しか維持させることができないため、ユーザーはデータのバックアップに間に合わず、さらに重大な場合には、デスクトップコンピュータのシステムおよび／または内部素子を破壊することもある。
【０００６】
このような問題を解決するため、最も簡単な方法としては、無停電電源装置（uninterruptible power supply, UPS）をデスクトップコンピュータ装置の予備の電源として設置する方法があるが、コスト面を考慮すると、無停電電源装置を利用して上記の問題を解決することは、必ずしも最良の解決方法とは言えない。
【考案の目的】
【０００７】
そこで、この考案の目的は、予備の電源機能を備えた電源供給装置を提供することにある。
【課題を解決するための手段】
【０００８】
この考案は、コンピュータ装置に適した電源供給装置を提供するものであり、力率改善ユニットと、主電源ＤＣ／ＤＣコンバータと、スタンバイ電源生成ユニットと、電池モジュールとを含む。力率改善ユニットは、商用電源を受け取って調整し、直流電圧を出力するために用いる。主電源ＤＣ／ＤＣコンバータは、力率改善ユニットに接続して、前記直流電圧を受け取って変換し、主電源をコンピュータ装置の主電源線に出力するために用いる。
【０００９】
スタンバイ電源生成装置は、力率改善ユニットに接続して、商用電源が有効な時に、前記直流電圧を受け取って変換し、充電電圧を出力するとともに安定スタンバイ電源をコンピュータ装置のスタンバイ電源線に出力し、商用電源が突然失効した時に、前記主電源線から予備の主電源を受け取って電圧調整を行い、前記安定スタンバイ電源を前記スタンバイ電源線に出力するために用いる。電池モジュールは、力率改善ユニットに接続して、商用電源が有効な時に、前記充電電圧を受け取って充電を行い、商用電源が突然失効した時に、予備の主電源を前記主電源線に提供するために用いる。
【００１０】
この考案の実施形態中、スタンバイ電源生成ユニットは、ＤＣ変圧器と、第１ダイオードと、第２ダイオードと、電圧調整器とを含む。ＤＣ変圧器は、１次側と２次側を有し、１次側を通って前記直流電圧を受け取り、２次側に浮動スタンバイ電源と前記充電電圧を生成する。第１ダイオードの陽極端は、前記浮動スタンバイ電源を受け取るために用い、第２ダイオードの陽極端は、前記主電源線に接続する。電圧調整器は、第１および第２ダイオードの陰極端に接続して、前記主電源または予備の主電源を受け取って電圧調整を行い、前記安定スタンバイ電源を生成するために用いる。
【００１１】
この考案の実施形態中、電源供給装置は、検出ユニットをさらに含み、電池モジュールに接続して、商用電源を受け取って有効であるか否かを検出するとともに、それに基づいて充電信号または放電信号を発信するために用いる。検出ユニットで商用電源が有効であることを検出した時は前記充電信号を出力するが、そうでない時は前記放電信号を出力する。
【００１２】
この考案の実施形態中、電池モジュールは、管理ユニットと、スイッチユニットと、充電式電池と、降圧ユニットとを含む。管理ユニットは、検出ユニットに接続して、前記充電信号を受け取った時にイネーブル信号を出力し、前記放電信号を受け取った時にディセーブル信号を出力する。スイッチユニットは、管理ユニットおよびスタンバイ電源生成ユニットに接続して、前記充電電圧を受け取るとともに、前記イネーブル信号を受け取った時に前記充電電圧を伝送し、前記ディセーブル信号を受け取った時に前記充電電圧を遮断するために用いる。
【００１３】
充電式電池は、スイッチユニットに接続して、スイッチユニットが前記イネーブル信号を受け取った時に、前記充電電圧を受け取って充電を行い、スイッチユニットが前記ディセーブル信号を受け取った時に、解放電圧を提供するために用いる。降圧ユニットは、充電式電池に接続し、且つスイッチユニットが前記ディセーブル信号を受け取った時に作用して、前記解放電圧を受け取るとともに、前記解放電圧を前記予備の主電源まで降圧した後、前記主電源線に提供するために用いる。
【００１４】
この考案の実施形態中、電源供給装置は、副電源ＤＣ／ＤＣコンバータをさらに含む。副電源ＤＣ／ＤＣコンバータは、前記主電源線に接続して、前記主電源線から前記主電源または予備の主電源を受け取って変換し、複数の副電源をコンピュータ装置の複数の副電源線にそれぞれ出力するために用いる。
【００１５】
この考案の実施形態中、前記主電源および予備の主電源は＋１２Ｖであり、前記複数の副電源は少なくとも＋５Ｖ、＋３．３Ｖおよび−１２Ｖを有する。前記充電電圧は、前記主電源および予備の主電源よりも高い。
【００１６】
この考案の実施形態中、前記浮動スタンバイ電源は前記安定スタンバイ電源よりも高く、且つ前記安定スタンバイ電源は＋５Ｖである。
【００１７】
この考案の実施形態中、力率改善ユニットは、能動式または受動式の力率改善装置であってもよい。
【００１８】
この考案の実施形態中、コンピュータ装置は、デスクトップコンピュータ装置（desktop computer device）、サーバー（server）またはワークステーション（workstation）であってもよい。
【００１９】
この考案の実施形態中、電源供給装置はＡＴＸ電源（ATX power supply）である。
【考案の効果】
【００２０】
上記からわかるように、商用電源が無効の時に、電池モジュールが予備の主電源を提供して、電源供給装置が出力を突然中止しないようにする。このため、ユーザーはデータをバックアップする時間が許され、さらにはデスクトップコンピュータ装置に対して正常なシャットダウン処理を行うことによって、デスクトップコンピュータのシステムおよび／または内部素子の破損を予防することもできる。
【図面の簡単な説明】
【００２１】
【図１】伝統的な電源供給器を示すブロック図である。
【図２】この考案の実施形態に係るデスクトップコンピュータ装置を示す概略図である。
【図３】この考案の実施形態に係るスタンバイ電源生成ユニットを示すブロック図である。
【図４】この考案の実施形態に係る電池モジュールのブロック図である。
【考案を実施するための形態】
【００２２】
添付の図面を参照して、この考案の実施形態について詳細を説明する。なお、図面および実施形態において同じ符号を使用している構成要素は、同一または類似の部分を表す。
【００２３】
図２は、この考案の実施形態に係るデスクトップコンピュータ装置２００を示す概略図である。図２を参照すると、デスクトップコンピュータ装置２００は、電源供給装置２０１と、デスクトップコンピュータシステム２０２と、デスクトップコンピュータ内部素子２０３とを含む。この電源供給装置２０１は、ＡＴＸ電源（ATX power supply）であってもよい。
【００２４】
電源供給装置２０１は、力率改善（power factor correction, PFC）ユニット２０５と、主電源ＤＣ／ＤＣコンバータ２０７と、スタンバイ電源生成ユニット２０９と、検出ユニット２１１と、電池モジュール２１３と、副電源ＤＣ／ＤＣコンバータ２１５と、電気容量ＣＢｕｌｋとを含む。この力率改善ユニット２０５は、商用電源ＡＣ（通常電力会社が提供するＡＣ１１０ＶまたはＡＣ２２０Ｖとする）を受け取って調整し、直流電圧ＤＣを出力して電気容量ＣＢｕｌｋを充電するために用いる。
【００２５】
この考案の実施形態中、力率改善ユニット２０５は、能動式力率改善装置（active power factor corrector）または受動式力率改善装置（passive power factor corrector）であってもよい。しかし、能動式か、受動式かに関わらず、力率改善装置はいずれもこの考案の分野において通常の知識を有する者が熟知している技術に属するため、その動作原理については説明を省略する。
【００２６】
主電源ＤＣ／ＤＣコンバータ２０７は、力率改善ユニット２０５に接続して、直流電圧ＤＣを受け取って変換し、主電源（main−power）ＭＰをデスクトップコンピュータ装置２００の主電源線（main−power bus）ＭＰＢに出力するために用いる。この実施形態において、主電源ＭＰは、例えば＋１２Ｖであってもよい。
【００２７】
スタンバイ電源生成ユニット２０９は、力率改善ユニット２０５および主電源線ＭＰＢに接続して、商用電源ＡＣが有効な時（すなわち、電力会社の電力供給が正常な時）に、直流電圧ＤＣを受け取って変換し、充電電圧ＣＶを出力するとともに安定スタンバイ電源ＳＴＢをデスクトップコンピュータ装置２００のスタンバイ電源線（standby power bus）ＳＴＢＰＢに出力するために用いる。また、商用電源ＡＣが突然失効した時（すなわち、電力会社の電力供給が正常でない時）に、スタンバイ電源生成ユニット２０９は、主電源線ＭＰＢから電池モジュール２１３が提供する予備の主電源ＳＭＰを受け取って電圧調整を行い（内容については後で詳しく説明する）、安定スタンバイ電源ＳＴＢをスタンバイ電源線ＳＴＢＰＢに出力する。この実施形態において、充電電圧ＣＶは主電源ＭＰよりも高く、且つ例えば＋３５Ｖであってもよいが、これに限定されるものではない。また、安定スタンバイ電源ＳＴＢは、例えば＋５Ｖであってもよい。
【００２８】
さらに明確に説明すると、図３は、この考案の実施形態に係るスタンバイ電源生成ユニット２０９を示すブロック図である。図２と図３を合わせて参照すると、スタンバイ電源生成ユニット２０９は、ＤＣ変圧器３０１と、ダイオードＤ１およびＤ２と、電圧調整器３０３とを含む。ＤＣ変圧器３０１は、１次側と２次側を有し、１次側を通って直流電圧ＤＣを受け取り、２次側で浮動スタンバイ電源ＦＳＴＢおよび充電電圧ＣＶを生成する。ここで、ＤＣ変圧器３０１の１次側には１組のコイルがあり、ＤＣ変圧器３０１の２次側には２組のコイルがあることがわかるが、これに限定されものではない。この考案のその他の実施形態において、２つのＤＣ変圧器を独立して使用することにより、浮動スタンバイ電源ＦＳＴＢおよび充電電圧ＣＶをそれぞれ生成することもできる。この実施形態において、浮動スタンバイ電源ＦＳＴＢは安定スタンバイ電源ＳＴＢよりも高く、且つ例えば７Ｖ〜８Ｖの間である。
【００２９】
ダイオードＤ１の陽極端は、浮動スタンバイ電源ＦＳＴＢを受け取るために用い、ダイオードＤ１の陰極端は、電圧調整器３０３に接続する。ダイオードＤ２の陽極端は、主電源線ＭＰＢに接続し、ダイオードＤ２の陰極端は、同じく電圧調整器３０３に接続する。電圧調整器３０３は、主電源ＭＰまたは電池モジュール２１３が提供する予備の主電源ＳＭＰに対して電圧調整を行い、安定スタンバイ電源ＳＴＢを生成するために用いる。
【００３０】
再度図２を参照すると、検出ユニット２１１は、商用電源ＡＣを受け取って有効であるか否かをするとともに、それに基づいて充電信号ＣＳまたは放電信号ＤＳを発信するために用いる。この実施形態において、検出ユニット２１１で商用電源ＡＣが有効であることを検出した時は、充電信号ＣＳを出力する。また、検出ユニット２１１で商用電源ＡＣが無効であることを検出した時は、放電信号ＤＳを出力する。
【００３１】
電池モジュール２１３は、スタンバイ電源生成ユニット２０９および検出ユニット２１１に接続して、商用電源ＡＣが有効な時に、充電電圧ＣＶを受け取って充電を行い、商用電源ＡＣが突然失効（例えば、停電）した時に、予備の主電源ＳＭＰを主電源線ＭＰＢに提供するために用いる。この実施形態において、充電電圧ＣＶも予備の主電源ＳＭＰより高く、且つ予備の主電源ＳＭＰは、例えば＋１２Ｖであってもよい。
【００３２】
さらに明確に説明すると、図４は、この考案の実施形態に係る電池モジュール２１３を示すブロック図である。図２〜図４を合わせて参照すると、電池モジュール２１３は、管理ユニット４０１と、スイッチユニット４０３と、充電式電池４０５と、降圧ユニット４０７とを含む。管理ユニット４０１は、検出ユニット２１１に接続して、充電信号ＣＳを受け取った時にイネーブル信号ＥＮを出力し、放電信号ＤＳを受け取った時にディセーブル信号ＤＩＳを出力する。スイッチユニット４０３は、管理ユニット４０１およびスタンバイ電源生成ユニット２０９に接続して、充電電圧ＣＶを受け取るとともに、イネーブル信号ＥＮを受け取った時に充電電圧ＣＶを伝送し、且つディセーブル信号ＤＩＳを受け取った時に充電電圧ＣＶを遮断するために用いる。
【００３３】
充電式電池４０５は、スイッチユニット４０３に接続して、スイッチユニット４０３がイネーブル信号ＥＮを受け取った時に、充電電圧ＣＶを受け取って充電を行い、スイッチユニット４０３がディセーブル信号ＤＩＳを受け取った時に、解放電圧ＲＶを提供するために用いる。この実施形態において、解放電圧ＲＶは、例えば＋１２．８Ｖから＋２５．６Ｖの間であるが、これに限定されるものではない。降圧ユニット４０７は、充電式電池４０５および主電源線ＭＰＢに接続し、且つスイッチユニット４０３がディセーブル信号ＤＩＳを受け取った時に作用して、解放電圧ＲＶを受け取るとともに、解放電圧ＲＶを予備の主電源ＳＭＰまで降圧した後、主電源線ＭＰＢに提供するために用いる。
【００３４】
再度図２を参照すると、副電源ＤＣ／ＤＣコンバータ２１５は、主電源線ＭＰＢに接続して、主電源線ＭＰＢから主電源ＭＰまたは予備の主電源ＳＭＰを受け取って変換し、複数の副電源（sub−power）ＳＰ１〜ＳＰ３をデスクトップコンピュータ装置２００の複数の副電源線（sub−power bus）ＳＰＢ１〜ＳＰＢ３にそれぞれ出力するために用いる。この実施形態において、副電源ＳＰ１〜ＳＰ３は、例えば、それぞれ＋５Ｖ、＋３．３Ｖおよび−１２Ｖである。
【００３５】
上記からわかるように、電力会社の電力供給が正常な状態では、力率改善ユニット２０５が商用電源ＡＣを受け取ることによって、力率改善ユニット２０５が商用電源ＡＣを調整して直流電圧ＤＣを出力する。このため、主電源ＤＣ／ＤＣコンバータ２０７が直流電圧ＤＣを変換して主電源ＭＰを主電源線ＭＰＢに出力し、その結果として、副電源ＤＣ／ＤＣコンバータ２１５が主電源線ＭＰＢから主電源ＭＰを受け取って変換し、副電源ＳＰ１〜ＳＰ３を副電源線ＳＰＢ１〜ＳＰＢ３にそれぞれ出力することができる。
【００３６】
同時に、スタンバイ電源生成ユニット２０９も直流電圧ＤＣを変換して、充電電圧ＣＶを出力するとともに安定スタンバイ電源ＳＴＢをスタンバイ電源線ＳＴＢＰＢに出力する。このため、主電源ＤＣ／ＤＣコンバータ２０７、スタンバイ電源生成ユニット２０９および副電源ＤＣ／ＤＣコンバータ２１５は、この時既にデスクトップコンピュータ装置２００が動作時に必要な全てのパワーパック（すなわち、主電源ＭＰ、副電源ＳＰ１〜ＳＰ３およびスタンバイ電源ＳＴＢ）をそれぞれ生成しているため、デスクトップコンピュータ装置２００を正常に起動させることができる。
【００３７】
また、検出ユニット２１１は、この時、商用電源ＡＣが有効であることを検出するため、検出ユニット２１１が充電信号ＣＳを電池モジュール２１３の管理ユニット４０１に出力し、その結果として、管理ユニット４０１がイネーブル信号ＥＮを出力して、スイッチユニット４０３が受け取った充電電圧ＣＶを充電式電池４０５に伝送できるようにする。このため、充電式電池４０５が充電を開始するが、降圧ユニット４０７はスイッチユニット４０３がディセーブル信号ＤＩＳを受け取った時しか作用しないため、商用電源ＡＣが有効な状態では、電池モジュール２１３は予備の主電源ＳＭＰを主電源線ＭＰＢに提供しない。
【００３８】
しかし、電力会社の電力供給が正常でない状態（例えば、突然または瞬時の停電）では、力率改善ユニット２０５は、この時、商用電源ＡＣを受け取らないため、力率改善ユニット２０５は直流電圧ＤＣを出力しない。ゆえに、電気容量ＣＢｕｌｋが一時的に保存している電荷は、電源供給装置２０１の出力を十数マイクロ秒しか維持させることができないため、この後、主電源ＤＣ／ＤＣコンバータ２０７、スタンバイ電源生成ユニット２０９および副電源ＤＣ／ＤＣコンバータ２１５は、デスクトップコンピュータ装置２００の動作時に必要な全てのパワーパックをそれぞれ生成することができない。
【００３９】
そこで、検出ユニット２１１は、この時、商用電源ＡＣが無効であることを検出するため、検出ユニット２１１が放電信号ＤＳを電池モジュール２１３の管理ユニット４０１に出力し、その結果として、管理ユニット４０１がディセーブル信号ＤＩＳを出力して、スイッチユニット４０３に受け取った充電電圧ＣＶを遮断させる（つまり、充電式電池４０５はこれ以上充電を行わない）。そのため、充電式電池４０５は、直ちに解放電圧ＲＶを降圧ユニット４０７に提供する（保存された電荷を解放し始める）。
【００４０】
降圧ユニット４０７は、スイッチユニット４０３がディセーブル信号ＤＩＳを受け取った時に作用するため、商用電源ＡＣが無効の状態では、電池モジュール２１３が予備の主電源ＳＭＰを主電源線ＭＰＢに提供し、その結果として、スタンバイ電源生成ユニット２０９の電圧調整器３０３が主電源線ＭＰＢから予備の主電源ＳＭＰを受け取ることができるとともに、予備の主電源ＳＭＰを安定スタンバイ電源ＳＴＢで電圧調整してからスタンバイ電源線ＳＴＢＰＢに出力する。
【００４１】
また、副電源ＤＣ／ＤＣコンバータ２１５も、主電源線ＭＰＢから予備の主電源ＳＭＰを受け取るとともに、予備の主電源ＳＭＰを変換して副電源ＳＰ１〜ＳＰ３を副電源線ＳＰＢ１〜ＳＰＢ３にそれぞれ出力する。このため、スタンバイ電源生成ユニット２０９、電池モジュール２１３および副電源ＤＣ／ＤＣコンバータ２１５は、この時既にデスクトップコンピュータ装置２００の動作時に必要な全てのパワーパックをそれぞれ生成しているため、デスクトップコンピュータ装置２００を正常に起動させることができる。
【００４２】
このことからわかるように、商用電源ＡＣが突然停電しても、電源供給装置２０１は出力を突然中止することがないため、ユーザーはデータをバックアップする時間が許され（時間の長さは充電式電池４０５の蓄電量による）、さらにはデスクトップコンピュータ装置２００に対して正常なシャットダウン処理を行うことによって、デスクトップコンピュータのシステム２０２および／または内部素子２０３（例えば、メモリ、ハードディスク、ＣＰＵ等）の破損を予防することもできる。
【００４３】
また、ＡＴＸ電源（ATX power supply）の規格書に基づいて述べると、ＡＴＸ電源自体は上述した安定スタンバイ電源を提供する必要があるため、この考案については、充電式電池に対して充電を行う充電電圧は、本来安定スタンバイ電源を生成するためのＤＣ変圧器の２次側（すなわち、先行技術で述べたＤＣコンバータ変圧器）で１組のコイルを何度も巻きつけることにより生成することができる。したがって、コスト節約のために充電電圧を生成する回路を別に設計する必要がない。さらに、この考案の充電式電池が提供する解放電圧は、１ステージ（段）の降圧回路（buck circuit、つまり降圧ユニット）を通るだけで予備の主電源を生成することができるため、充電式電池の蓄電量が消耗しすぎることがない。そのため、充電式電池が予備の主電源に提供する時間を延ばすことができる。
【００４４】
この他、上記の実施形態ではデスクトップコンピュータ装置を例として説明したが、この考案が提出する技術に基づいて、他の種類のコンピュータ装置（例えば、サーバー、ワークステーション等）が安定スタンバイ電源を必要とする場合も、この考案の電源供給装置を適用することができるため、この考案が主張する範囲は、上述した実施形態が開示している内容に限定されるものではない。
【００４５】
以上のごとく、この考案を実施形態により開示したが、もとより、この考案を限定するためのものではなく、当業者であれば容易に理解できるように、この考案の技術思想の範囲内において、適当な変更ならびに修正が当然なされうるものであるから、その実用新案登録権保護の範囲は、実用新案登録請求の範囲および、それと均等な領域を基準として定められなければならない。
【符号の説明】
【００４６】
１００  電源供給器
１０１  ２０５  力率改善ユニット
１０３  ２０７  主電源ＤＣ／ＤＣコンバータ
１０５  ２１５  副電源ＤＣ／ＤＣコンバータ
１０７  ３０１  ＤＣ変圧器
１０９  ３０３  電圧調整器
２００  デスクトップコンピュータ装置
２０１  電源供給装置
２０２  デスクトップコンピュータシステム
２０３  デスクトップコンピュータ内部素子
２０９  スタンバイ電源生成ユニット
２１１  検出ユニット
２１３  電池モジュール
４０１  管理ユニット
４０３  スイッチユニット
４０５  充電式電池
４０７  降圧ユニット
ＡＣ  商用電源
ＣＶ  充電電圧
ＣＢｕｌｋ  電気容量
Ｄ１、Ｄ２  ダイオード
ＤＣ  直流電圧
ＤＩＳ  ディセーブル信号
ＥＮ  イネーブル信号
ＦＳＴＢ  浮動スタンバイ電源
ＭＰ  主電源
ＭＰＢ  主電源線
ＳＭＰ  予備の主電源
ＳＰ１、ＳＰ２、ＳＰ３  副電源
ＳＰＢ１、ＳＰＢ２、ＳＰＢ３  副電源線
ＳＴＢ  安定スタンバイ電源
ＳＴＢＰＢ  スタンバイ電源線
ＲＶ  解放電圧
【図１】
0003153603.tif 000003
【図２】
0003153603.tif 000004
【図３】
0003153603.tif 000005
【図４】
0003153603.tif 000006